(57)【要約】【課題】テレビジョン側での映像信号の入力切替に連動して再生を開始したり、停止したりすることができる映像表示装置、映像再生装置、映像再生表示システムおよび制御方法を提供する。【解決手段】映像再生装置１４から出力された映像信号を受信するＨＤＭＩ  Ｉ／Ｆと、放送波から出力された映像信号を受信する放送波入力部とを備え、ＨＤＭＩ  Ｉ／Ｆと放送波入力部とから受信した映像信号の出力を切り替えた場合、映像再生装置１４にＨＤＭＩケーブル１３を介してコマンドを送信する。【選択図】      図１
2010021880.tif 000002
【特許請求の範囲】
【請求項１】
映像再生装置から出力された映像信号を受信する第１の受信部と、
前記映像再生装置とは別の映像ソースから出力された映像信号を受信する第２の受信部と、
前記第１の受信部と第２の受信部から出力された映像信号の接続を切り替える切り替え部と、
前記映像信号の接続が、前記第１の受信部から前記第２の受信部に切り替えられた場合に、所定のコマンドを出力するコマンド出力部と、を備えることを特徴とする映像表示装置。
【請求項２】
映像再生装置から出力された映像信号を受信する第１の受信部と、
前記映像再生装置とは別の映像ソースから出力された映像信号を受信する第２の受信部と、
前記第１の受信部と第２の受信部から出力された映像信号の接続を切り替える切り替え部と、
前記映像信号の接続が、前記第２の受信部から前記第１の受信部に切り替えられた場合に、所定のコマンドを出力するコマンド出力部と、を備えることを特徴とする映像表示装置。
【請求項３】
前記所定のコマンドは、前記映像再生装置の選択を示す選択コマンドまたは前記映像再生装置の選択の解除を示す解除コマンドであることを特徴とする請求項１または２に記載の映像表示装置。
【請求項４】
前記所定のコマンドは、前記映像再生装置による再生処理要求を示す再生コマンドまたは前記映像再生装置による停止／一時停止処理要求を示す停止／一時停止コマンドであることを特徴とする請求項１または２に記載の映像表示装置。
【請求項５】
出力された映像信号を受信する第１の受信部と、前記映像信号とは別の出力された映像信号を受信する第２の受信部とを備えた映像表示装置に前記第１の受信部を介して映像信号を出力する映像再生装置であって、
前記映像表示装置は、前記第１の受信部と第２の受信部とから出力された映像信号の接続を切り替える切り替え部を備え、
前記切り替え部によって映像信号の接続が前記第１の受信部から前記第２の受信部に切り替えられた場合に、前記映像表示装置から所定のコマンドを受信するコマンド受信部と、
前記コマンド受信部により受信した前記所定コマンドが当該映像再生装置の選択を示す選択コマンドである場合に当該映像再生装置が停止状態であれば再生処理を開始し、前記所定コマンドが当該映像再生装置の選択の解除を示す解除コマンドである場合に当該映像再生装置が再生状態であれば停止及び一時停止処理のいずれか一方を行うことを特徴とする映像再生装置。
【請求項６】
出力された映像信号を受信する第１の受信部と、前記映像信号とは別の出力された映像信号を受信する第２の受信部とを備えた映像表示装置に前記第１の受信部を介して映像信号を出力する映像再生装置であって、
前記映像表示装置は、前記第１の受信部と第２の受信部とから出力された映像信号の接続を切り替える切り替え部を備え、
前記切り替え部によって映像信号の接続が前記第２の受信部から前記第１の受信部に切り替えられた場合に、前記映像表示装置から所定のコマンドを受信するコマンド受信部と、
前記コマンド受信部により受信した前記所定コマンドが当該映像再生装置の選択を示す選択コマンドである場合に当該映像再生装置が停止状態であれば再生処理を開始し、前記所定コマンドが当該映像再生装置の選択の解除を示す解除コマンドである場合に当該映像再生装置が再生状態であれば停止及び一時停止処理のいずれか一方を行うことを特徴とする映像再生装置。
【請求項７】
映像信号を出力する映像再生装置と、前記映像再生装置から出力された映像信号を受信する第１の受信部と前記映像再生装置とは別の映像ソースから出力された映像信号を受信する第２の受信部と前記第１の受信部と第２の受信部とから出力された映像信号の接続を切り替える切り替え部とを備えた映像表示装置とを備えた映像再生表示システムであって、
前記映像表示装置は、前記切り替え部によって映像信号の接続が前記第１の受信部から前記第２の受信部に切り替えられた場合に、前記映像再生装置に所定のコマンドを出力するコマンド出力部を備え、
前記映像再生装置は、受信した前記所定コマンドが当該映像再生装置の選択を示す選択コマンドである場合に当該映像再生装置が停止状態であれば再生処理を開始し、前記所定コマンドが当該映像再生装置の選択の解除を示す解除コマンドである場合に当該映像再生装置が再生状態であれば停止及び一時停止処理のいずれか一方を行う制御部を備えることを特徴とする映像再生表示システム。
【請求項８】
映像信号を出力する映像再生装置と、前記映像再生装置から出力された映像信号を受信する第１の受信部と前記映像再生装置とは別の映像ソースから出力された映像信号を受信する第２の受信部と前記第１の受信部と第２の受信部とから出力された映像信号の接続を切り替える切り替え部とを備えた映像表示装置とを備えた映像再生表示システムであって、
前記映像表示装置は、前記切り替え部によって映像信号の接続が前記前記第２の受信部から前記第１の受信部に切り替えられた場合に、前記映像再生装置に所定のコマンドを出力するコマンド出力部を備え、
前記映像再生装置は、受信した前記所定コマンドが当該映像再生装置の選択を示す選択コマンドである場合に当該映像再生装置が停止状態であれば再生処理を開始し、前記所定コマンドが当該映像再生装置の選択の解除を示す解除コマンドである場合に当該映像再生装置が再生状態であれば停止及び一時停止処理のいずれか一方を行う制御部を備えることを特徴とする映像再生表示システム。
【請求項９】
映像再生装置から出力された映像信号を受信する第１の受信部と、前記映像再生装置とは別の映像ソースから出力された映像信号を受信する第２の受信部と、前記第１の受信部と第２の受信部とから出力された映像信号の接続を切り替える切り替え部とを備えた映像表示装置で用いられる制御方法であって、
前記切り替え部によって映像信号の接続が前記第１の受信部から前記第２の受信部に切り替えられた場合に、前記映像再生装置に所定のコマンドを出力することを特徴とする制御方法。
【請求項１０】
映像再生装置から出力された映像信号を受信する第１の受信部と、前記映像再生装置とは別の映像ソースから出力された映像信号を受信する第２の受信部と、前記第１の受信部と第２の受信部とから出力された映像信号の接続を切り替える切り替え部とを備えた映像表示装置で用いられる制御方法であって、
前記切り替え部によって映像信号の接続が前記第２の受信部から前記第１の受信部に切り替えられた場合に、前記映像再生装置に所定のコマンドを出力することを特徴とする制御方法。
【請求項１１】
前記所定のコマンドは、前記映像再生装置の選択を示す選択コマンドまたは前記映像再生装置の選択の解除を示す解除コマンドであることを特徴とする請求項９または１０に記載の制御方法。
【請求項１２】
前記所定のコマンドは、前記映像再生装置による再生処理要求を示す再生コマンドまたは前記映像再生装置による停止／一時停止処理要求を示す停止／一時停止コマンドであることを特徴とする請求項９または１０に記載の制御方法。
【発明の詳細な説明】
【技術分野】
【０００１】
本発明は、映像表示装置に係り、特に映像信号の入力の切り替えに呼応して映像信号の再生装置を制御することができる映像表示装置、映像再生装置、映像再生表示システムおよび制御方法に関する。
【背景技術】
【０００２】
一般に、テレビジョン等の映像表示装置においては、複数の入力ソースに対応しており、放送波や外部接続の映像再生装置からの映像信号を切り替えて表示することができる。例えば、特許文献１では、映像再生機能を備えた装置からＨＤＭＩ（High-Definition Multimedia Interface）で接続されたテレビジョンに対して入力切替の要求を出すと、テレビジョンの入力切替が映像再生機能を備えた装置に切り替わる技術が開示されている。
【特許文献１】特開２００８−３４９６５号公報
【発明の開示】
【発明が解決しようとする課題】
【０００３】
しかしながら、特許文献１に記載された技術では、テレビジョン側で映像信号の入力切替を行った場合、テレビジョンに接続されている映像再生装置は、テレビジョン側での映像信号の入力切替に連動して再生を開始したり、停止したりすることができない。
【０００４】
そこで、本発明は、テレビジョン側での映像信号の入力切替に連動して再生を開始したり、停止したりすることができる映像表示装置、映像再生装置、映像再生表示システムおよび制御方法を提供することを目的とする。
【課題を解決するための手段】
【０００５】
上述した課題を解決するために、本発明の一態様によれば、映像再生装置から出力された映像信号を受信する第１の受信部と、前記映像再生装置とは別の映像ソースから出力された映像信号を受信する第２の受信部と、前記第１の受信部と第２の受信部から出力された映像信号の接続を切り替える切り替え部と、前記映像信号の接続が、前記第１の受信部から前記第２の受信部に切り替えられた場合に、所定のコマンドを出力するコマンド出力部と、を備えることを特徴とする映像表示装置が提供される。
【０００６】
また、本発明の別の一態様によれば、映像再生装置から出力された映像信号を受信する第１の受信部と、前記映像再生装置とは別の映像ソースから出力された映像信号を受信する第２の受信部と、前記第１の受信部と第２の受信部から出力された映像信号の接続を切り替える切り替え部と、前記映像信号の接続が、前記第２の受信部から前記第１の受信部に切り替えられた場合に、所定のコマンドを出力するコマンド出力部と、を備えることを特徴とする映像表示装置が提供される。
【０００７】
また、本発明の別の一態様によれば、出力された映像信号を受信する第１の受信部と、前記映像信号とは別の出力された映像信号を受信する第２の受信部とを備えた映像表示装置に前記第１の受信部を介して映像信号を出力する映像再生装置であって、前記映像表示装置は、前記第１の受信部と第２の受信部とから出力された映像信号の接続を切り替える切り替え部を備え、前記切り替え部によって映像信号の接続が前記第１の受信部から前記第２の受信部に切り替えられた場合に、前記映像表示装置から所定のコマンドを受信するコマンド受信部と、前記コマンド受信部により受信した前記所定コマンドが当該映像再生装置の選択を示す選択コマンドである場合に当該映像再生装置が停止状態であれば再生処理を開始し、前記所定コマンドが当該映像再生装置の選択の解除を示す解除コマンドである場合に当該映像再生装置が再生状態であれば停止及び一時停止処理のいずれか一方を行うことを特徴とする映像再生装置が提供される。
【０００８】
また、本発明の別の一態様によれば、出力された映像信号を受信する第１の受信部と、前記映像信号とは別の出力された映像信号を受信する第２の受信部とを備えた映像表示装置に前記第１の受信部を介して映像信号を出力する映像再生装置であって、前記映像表示装置は、前記第１の受信部と第２の受信部とから出力された映像信号の接続を切り替える切り替え部を備え、前記切り替え部によって映像信号の接続が前記第２の受信部から前記第１の受信部に切り替えられた場合に、前記映像表示装置から所定のコマンドを受信するコマンド受信部と、前記コマンド受信部により受信した前記所定コマンドが当該映像再生装置の選択を示す選択コマンドである場合に当該映像再生装置が停止状態であれば再生処理を開始し、前記所定コマンドが当該映像再生装置の選択の解除を示す解除コマンドである場合に当該映像再生装置が再生状態であれば停止及び一時停止処理のいずれか一方を行うことを特徴とする映像再生装置が提供される。
【０００９】
また、本発明の別の一態様によれば、映像信号を出力する映像再生装置と、前記映像再生装置から出力された映像信号を受信する第１の受信部と前記映像再生装置とは別の映像ソースから出力された映像信号を受信する第２の受信部と前記第１の受信部と第２の受信部とから出力された映像信号の接続を切り替える切り替え部とを備えた映像表示装置とを備えた映像再生表示システムであって、前記映像表示装置は、前記切り替え部によって映像信号の接続が前記第１の受信部から前記第２の受信部に切り替えられた場合に、前記映像再生装置に所定のコマンドを出力するコマンド出力部を備え、前記映像再生装置は、受信した前記所定コマンドが当該映像再生装置の選択を示す選択コマンドである場合に当該映像再生装置が停止状態であれば再生処理を開始し、前記所定コマンドが当該映像再生装置の選択の解除を示す解除コマンドである場合に当該映像再生装置が再生状態であれば停止及び一時停止処理のいずれか一方を行う制御部を備えることを特徴とする映像再生表示システムが提供される。
【００１０】
また、本発明の別の一態様によれば、映像信号を出力する映像再生装置と、前記映像再生装置から出力された映像信号を受信する第１の受信部と前記映像再生装置とは別の映像ソースから出力された映像信号を受信する第２の受信部と前記第１の受信部と第２の受信部とから出力された映像信号の接続を切り替える切り替え部とを備えた映像表示装置とを備えた映像再生表示システムであって、前記映像表示装置は、前記切り替え部によって映像信号の接続が前記前記第２の受信部から前記第１の受信部に切り替えられた場合に、前記映像再生装置に所定のコマンドを出力するコマンド出力部を備え、前記映像再生装置は、受信した前記所定コマンドが当該映像再生装置の選択を示す選択コマンドである場合に当該映像再生装置が停止状態であれば再生処理を開始し、前記所定コマンドが当該映像再生装置の選択の解除を示す解除コマンドである場合に当該映像再生装置が再生状態であれば停止及び一時停止処理のいずれか一方を行う制御部を備えることを特徴とする映像再生表示システムが提供される。
【００１１】
また、本発明の別の一態様によれば、映像再生装置から出力された映像信号を受信する第１の受信部と、前記映像再生装置とは別の映像ソースから出力された映像信号を受信する第２の受信部と、前記第１の受信部と第２の受信部とから出力された映像信号の接続を切り替える切り替え部とを備えた映像表示装置で用いられる制御方法であって、前記切り替え部によって映像信号の接続が前記第１の受信部から前記第２の受信部に切り替えられた場合に、前記映像再生装置に所定のコマンドを出力することを特徴とする制御方法が提供される。
【００１２】
また、本発明の別の一態様によれば、映像再生装置から出力された映像信号を受信する第１の受信部と、前記映像再生装置とは別の映像ソースから出力された映像信号を受信する第２の受信部と、前記第１の受信部と第２の受信部とから出力された映像信号の接続を切り替える切り替え部とを備えた映像表示装置で用いられる制御方法であって、前記切り替え部によって映像信号の接続が前記第２の受信部から前記第１の受信部に切り替えられた場合に、前記映像再生装置に所定のコマンドを出力することを特徴とする制御方法が提供される。
【発明の効果】
【００１３】
本発明によれば、テレビジョン側での映像信号の入力切替に連動して再生を開始したり、停止したりすることができる映像表示装置、映像再生装置、映像再生表示システムおよび制御方法を提供することができる。
【発明を実施するための最良の形態】
【００１４】
以下、本発明の実施形態について図面を参照しながら説明する。
【００１５】
まず、図１および図２を参照して、本発明の一実施形態に係る映像再生表示システムおよび映像表示装置の構成について説明する。
【００１６】
図１は、映像再生表示システムは、ＤＶＤプレーヤ等の映像再生装置１４とテレビジョン等の映像表示装置１０とを備えている。なお、本実施形態では、映像再生装置１４を光ディスク等を再生可能なＤＶＤプレーヤとして説明するが、映像信号の再生を行う機器であればよく、例えば、ＨＤＤ（ハードディスクドライブ）等を内蔵し、ＨＤＤに記憶されているコンテンツを再生可能な機器であってもよい。
【００１７】
映像再生装置１４は、光ディスク等を再生するディスクドライブ部５３を備えており、ＨＤＭＩ（High-Definition Multimedia Interface）ケーブル１３で映像表示装置１０と接続されている。映像表示装置１０は、ディスプレイ等の表示部２９を備えており、ＨＤＭＩ等で接続された映像再生装置１４から入力された映像信号を表示部２９に表示する。また、外部接続されたその他の映像ソース機器、内蔵するチューナーにより受信した放送波による映像信号を表示部２９に表示する。これらの映像信号の入力の切り替えは、映像表示装置１０が備える制御部（後述）によって入力を切り替えることによって行う。また、映像信号の入力の切り替えは、映像表示装置１０から映像再生装置１４に所定のコマンドを送信することによって行う。
【００１８】
これらの映像信号の入力の切り替えは、例えば、映像表示装置１０に付属するリモートコントローラ１２からの指示によって行うことができる。なお、映像信号の入力の切り替えは、映像表示装置１０が備える所定のボタンを押下することにより行ってもよい。また、本実施形態では、映像表示装置１０と映像再生装置１４とをＨＤＭＩ形式のケーブルで接続を行っているが、無線を用いたワイヤレス形式の接続によって行ってもよく、映像表示装置１０から映像再生装置１４に所定のコマンドを送信することができるものであれば接続形式は限定されるものではない。
【００１９】
図２は、映像表示装置１０の主要な構成を示したブロック図である。映像表示装置１０は、リモコン（リモートコントーラ）受光部２０、制御部２１、メモリ部２２、放送波受信用アンテナ２３、チューナー部２４、音声処理部２５、映像処理部２６、ＨＤＭＩ  Ｉ／Ｆ（第１の受信部）２７、スピーカ２８、表示部２９、放送波入力部（第２の受信部）３０等を備えている。
【００２０】
リモコン受光部（コマンド受信部）２０は、リモートコントーラ１２からの入力切替要求信号等の信号を受信して制御部２１に渡すインターフェースデバイスである。制御部（切り替え部、コマンド出力部）２１は、映像再生装置１４および放送波から受信した映像信号に対して画像処理を行い、表示部２９に表示させる。また、制御部２１は、ＨＤＭＩ  Ｉ／Ｆ２７を介して入力された映像信号の切り替え処理を行う。さらに、制御部２１は、入力された映像信号の切り替え処理を行った場合に、メモリ部２２に記憶された所定のコマンドを映像再生装置１４に送信する処理を行う。メモリ部２２は、入力された映像信号の切り替え処理を行った場合に、映像再生装置１４に送信するコマンド（後述：図８参照）等を記憶する。放送波受信用アンテナ２３は、放送局から送信されている放送波を受信するアンテナである。チューナー部２４は、アンテナ２３で受信した放送波を各放送局の周波数に同調させるチューナーである。音声処理部２５は、チューナー部２４から出力された映像信号の内、音声データの処理を行い、スピーカ２８から音声出力させる音声データ処理を行うデバイスである。映像処理部２６は、チューナー部２４から出力された映像信号の内、映像データの処理を行い、表示部２９に映像データを表示させる映像データ処理を行うデバイスである。ＨＤＭＩ  Ｉ／Ｆ２７は、映像再生装置１４等の外部接続機器との接続を行うためのインターフェースデバイスである。スピーカ２８は、音声処理部２５によって、チューナー部２４から出力された映像信号の内、処理が行われた音声データを出力させる音声デバイスである。表示部２９は、映像処理部２６によって、チューナー部２４から出力された映像信号の内、処理が行われた映像データを表示させる表示デバイスである。放送波入力部３０は、チューナー部２４で受信した放送波を音声データと映像データに振り分け、それぞれを音声処理部２５および映像処理部２６に伝送する処理を行う。
【００２１】
次に、図３は、映像再生装置１４の主要な構成を示したブロック図である。
【００２２】
映像再生装置１４は、ＨＤＭＩ  Ｉ／Ｆ５０、再生処理部５１、制御部５２、ディスクドライブ部５３等を備えている。ＨＤＭＩ  Ｉ／Ｆ５０は、映像表示装置１０等の映像表示を行う機器等との接続を行うためのインターフェースデバイスである。再生処理部５１は、ディスクドライブ部５３で光ディスク等から読み取った映像信号をデコードする再生処理を行う。制御部５２は、再生処理部５１でデコードされた映像データをＨＤＭＩ  Ｉ／Ｆ５０を介して映像信号を出力する。また制御部５２は、映像表示装置１０から受信したコマンドに従って処理を行う。例えば、受信したコマンドが再生要求を示すコマンドであった場合には、例えばディスクドライブ部５３で光ディスク等の再生を行う。また、ディスクドライブ部５３は、光ディスク等の記録メディアから映像信号を読み取る。
【００２３】
以上のように構成された本発明の映像再生表示システムおよび映像表示装置を適用した制御方法の処理について図４〜図７のフローチャートを参照して説明する。
【００２４】
まず、映像表示装置１０に入力される映像信号の入力切替の動作に連動して映像再生装置１４の制御を行う方法には、例えば２通りの方法がある。第１の方法としては、映像表示装置１０の入力切替が行われ、映像再生装置１４から出力された映像信号が選択された旨の選択コマンドまたは、映像再生装置１４からの映像信号の出力の選択がが解除された旨の解除コマンドを、映像表示装置１０から映像再生装置１４に送信する。映像再生装置１４は、選択コマンドを受信すると再生を開始し、解除コマンドを受信すると停止または一時停止する処理を行う。
【００２５】
また、第２の方法としては、映像表示装置１０の入力切替が行われると、再生状態を要求するコマンドを映像表示装置１０から映像再生装置１４に送信する。このコマンドを受信した映像再生装置１４は、映像再生装置１４が再生状態であるか、または停止および一時停止状態であるかの状態通知の情報を映像表示装置１０に送信する。映像表示装置１０は、受信した状態通知の情報が停止および一時停止状態であれば再生を開始するコマンドを、状態通知の情報が再生状態であれば停止または一時停止とするコマンドを映像再生装置１４に送信する処理を行う。
【００２６】
図４は、上述した第１の方法についてテレビジョン等の映像表示装置１０の処理を示すフローチャートである。また、図５は、第１の方法についてＤＶＤプレーヤ等の映像再生装置１４の処理を示すフローチャートである。
【００２７】
映像表示装置１０の制御部２１は、映像入力の切り替え操作が行われた否かを監視している。図４に示すように、例えばリモートコントローラ１２から入力切替要求を受信して、映像入力の切り替え操作が行われ、かつ映像再生装置１４間の入力の切り替え（映像再生装置１４が切り替え元または切り替え先となっている場合。例えば、放送波から映像再生装置１４への切り替え、または映像再生装置１４から放送波への切り替え等）が行われたと映像表示装置１０の制御部２１によって判別された場合は（ステップＳ１０１の再生装置間の切り替え）、ステップＳ１０２に遷移する。一方、ステップＳ１０１で、映像表示装置１０の制御部２１によって、その他の映像ソース間（例えば、地上波放送と衛星放送間等）で入力が切り替えられたと判別された場合は（ステップＳ１０１のその他のソース間切替）、終了する。
【００２８】
ステップＳ１０２では、映像表示装置１０の制御部２１によって、映像表示装置１０の入力切替の切り替え状態を判別する。ステップＳ１０２で映像表示装置１０の制御部２１によって、映像再生装置１４からの入力が選択された（例えば、放送波から映像再生装置１４への入力が切り替えられた場合）と判別されると（ステップＳ１０２のＨＤＭＩ接続機器を選択）、ＨＤＭＩ接続の再生装置、例えば映像再生装置１４に、映像再生装置１４からの入力が選択された旨のコマンドを送信する（ステップＳ１０３）。一方、ステップＳ１０２で映像表示装置１０の制御部２１によって、映像再生装置１４からの入力が解除された（例えば、映像再生装置１４から放送波への入力が切り替えられた場合）と判別されると（ステップＳ１０２のＨＤＭＩ接続機器を解除）、ＨＤＭＩ接続の再生装置、例えば映像再生装置１４に、映像再生装置１４からの入力が解除された旨のコマンドを送信する（ステップＳ１０４）。なお、映像再生装置１４からの入力が選択された旨のコマンドまたは、映像再生装置１４からの入力が解除された旨のコマンドとしては、例えば、図８に示すように、ＨＤＭＩのＣＥＣ（Consumer Electronics Control）コマンドに規定されているVendor Specific Commandを用いることで実現できる。例えば、以下の様なコマンドを予め設定しておく。
【００２９】
入力が選択されたコマンド
Initiator ：TV（映像表示装置１０）
Destination ：現在アクティブなソース（映像再生装置１４）
Opcode ：<Vendor Command>
Parameter : select
入力が解除されたコマンド
Initiator ：TV（映像表示装置１０）
Destination ：現在アクティブなソース（映像再生装置１４）
Opcode ：<Vendor Command>
Parameter : cancel
次に、映像再生装置１４の制御部５２は、図５に示すように、例えば映像表示装置１０から入力切替のコマンドを受信すると（ステップＳ２０１）、受信したコマンドの判別を行う（ステップＳ２０２）。ステップＳ２０２で、映像再生装置１４の制御部５２によって、受信したコマンドが入力が選択されたコマンドであると判別された場合は（ステップＳ２０２の選択通知）、映像再生装置１４は、自身の映像再生装置１４の再生状態を判別する（ステップＳ２０５）。ステップＳ２０５で、映像再生装置１４の制御部５２によって、映像再生装置１４の再生状態が停止または一時停止中であると判別された場合は（ステップＳ２０５の停止／一時停止中）、映像再生装置１４の光ディスク等の再生を開始する（ステップＳ２０６）。一方、ステップＳ２０５で、映像再生装置１４の制御部５２によって、映像再生装置１４の再生状態が停止または一時停止中以外であると判別された場合は（ステップＳ２０５のその他）、終了する（受信した「入力が選択されたコマンド」を無視する）。
【００３０】
一方、ステップＳ２０２で、映像再生装置１４の制御部５２によって、受信したコマンドが入力が解除されたコマンドであると判別された場合は（ステップＳ２０２の解除通知）、映像再生装置１４は、自身の映像再生装置１４の再生状態を判別する（ステップＳ２０３）。ステップＳ２０３で、映像再生装置１４の制御部５２によって、映像再生装置１４の再生状態が再生中であると判別された場合は（ステップＳ２０３再生中）、映像再生装置１４の光ディスク等の再生を停止または一時停止とする処理を行う（ステップＳ２０４）。一方、ステップＳ２０３で、映像再生装置１４の制御部５２によって、映像再生装置１４の再生状態が再生中以外であると判別された場合は（ステップＳ２０３のその他）、終了する（受信した「入力が解除されたコマンド」を無視する）。
【００３１】
図６は、上述した第２の方法についてテレビジョン等の映像表示装置１０の処理を示すフローチャートである。また、図７は、第２の方法についてＤＶＤプレーヤ等の映像再生装置１４の処理を示すフローチャートである。
【００３２】
映像表示装置１０は、映像入力の切り替え操作が行われた否かを監視している。図６に示すように、例えばリモートコントローラ１２から入力切替要求を受信して、映像入力の切り替え操作が行われると（ステップＳ３０１）、映像表示装置１０は、映像再生装置１４に対して、映像再生装置１４の再生状態を示す状態通知の情報の送信を要求するコマンドを送信する（ステップＳ３０２）。状態通知の情報の送信を要求するコマンドは、ＨＤＭＩのＣＥＣ（Consumer Electronics Control）コマンドに規定されているDeck Controlを用いることで実現できる。例えば、以下の様なコマンドを予め設定しておく。
【００３３】
状態通知の情報の送信を要求するコマンド
Initiator ：TV（映像表示装置１０）
Destination ：現在アクティブなソース（映像再生装置１４）
Opcode ：<Give Deck Status>
映像表示装置１０は、映像再生装置１４から当該映像再生装置１４の再生状態を示す状態通知の情報を受信してメモリ部２２等に保持（記憶）する（ステップＳ３０３）。映像表示装置１０は、受信した状態通知の情報に基づいて、映像再生装置１４の状態及び入力切替の判別を行う（ステップＳ３０４）。ステップＳ３０４で、映像表示装置１０の制御部２１によって、映像再生装置１４の状態及び入力切替が、「再生中、且つＨＤＭＩ接続されている映像再生装置１４の選択が解除された」と判別された場合は（ステップＳ３０４の再生中、且つＨＤＭＩ接続再生装置の選択が解除）、映像表示装置１０は、映像再生装置１４に対して「停止または一時停止のコマンドを発効」して送信する（ステップＳ３０５）。一方、ステップＳ３０４で、映像表示装置１０の制御部２１によって、映像再生装置１４の状態及び入力切替が、「停止または一時停止中、且つＨＤＭＩ接続されている映像再生装置１４が選択された」と判別された場合は（ステップＳ３０４の停止／一時停止中、且つＨＤＭＩ接続再生装置の選択）、映像表示装置１０は、映像再生装置１４に対して「再生開始のコマンドを発効」して送信する（ステップＳ３０５）。停止または一時停止のコマンド、および再生開始のコマンドは、ＨＤＭＩのＣＥＣ（Consumer Electronics Control）コマンドに規定されているDeck Controlを用いることで実現できる。規定のコマンドが存在しない場合は、前述のようにVendor Specific Commandを使用して、実現することも可能である。
【００３４】
例えば、
停止コマンド
Initiator ：TV（映像表示装置１０）
Destination ：現在アクティブなソース（映像再生装置１４）
Opcode ：<Deck Control>
Parameter : stop
再生開始のコマンド
Initiator ：TV（映像表示装置１０）
Destination ：現在アクティブなソース（映像再生装置１４）
Opcode ：<Play>
一時停止のコマンド
Initiator ：TV（映像表示装置１０）
Destination ：現在アクティブなソース（映像再生装置１４）
Opcode ：<Vendor Command>
Parameter : pause
次に、映像再生装置１４は、図７に示すように、例えば映像表示装置１０から再生状態の通知要求のコマンド（状態通知の情報の送信を要求するコマンド）を受信する（ステップＳ４０１）。映像再生装置１４は、再生状態の通知要求のコマンドに従って、再生状態を示す状態通知の情報を送信（再生状態の情報を送信）する（ステップＳ４０２）。映像表示装置１０は、映像再生装置１４からの状態通知の情報を送信を受けて、「停止または一時停止のコマンド」や「再生開始のコマンド」を映像再生装置１４に送信する。映像再生装置１４は、これらのコマンドを受信し（ステップＳ４０３）、受信したコマンドを判別する（ステップＳ４０４）。ステップＳ４０４で、映像再生装置１４の制御部５２によって、受信したコマンドが、「再生開始のコマンド」であると判別された場合は（ステップＳ４０４の再生開始コマンド）、映像再生装置１４の光ディスク等のコンテンツの再生を開始する（ステップＳ４０５）。一方、ステップＳ４０４で、映像再生装置１４の制御部５２によって、受信したコマンドが、「停止または一時停止のコマンド」であると判別された場合は（ステップＳ４０４の停止／一時停止コマンド）、映像再生装置１４の光ディスク等のコンテンツの再生を停止／一時停止する（ステップＳ４０６）。
【００３５】
上述した実施形態によれば、テレビジョン等の映像表示装置側での映像信号の入力切替に連動して接続されている映像再生装置の再生を開始したり、停止したりすることができる。このため、ユーザが映像表示装置１０のみを操作するだけで、映像再生装置１４の煩雑な操作を行わなくても自動的に切り替える行うことができ、ユーザの利便性を向上させることができる。
【００３６】
また、本発明は、上述した実施形態そのままに限定されるものではない。本発明は、実施段階では、その要旨を逸脱しない範囲で構成要素を変更して具現化できる。
【００３７】
さらに、上述した実施形態に開示されている複数の構成要素を適宜に組み合わせることで、種々の発明を形成できる。例えば、実施形態に示される全構成要素から幾つかの構成要素を削除してもよい。更に、異なる実施形態にわたる構成要素を適宜組み合わせてもよい。
【図面の簡単な説明】
【００３８】
【図１】本発明の一実施形態に係る映像再生表示システムの構成の概念を示す図。
【図２】同実施形態に係る映像表示装置の主要な構成を示すブロック図。
【図３】同実施形態に係る映像再生装置の主要な構成を示すブロック図。
【図４】同実施形態に係る映像再生表示システムおよび映像表示装置を適用した制御方法（第１の方法）の処理について説明するためのフローチャート。
【図５】同実施形態に係る映像再生表示システムおよび映像再生装置を適用した制御方法（第２の方法）の処理について説明するためのフローチャート。
【図６】同実施形態に係る映像再生表示システムおよび映像表示装置を適用した制御方法（第２の方法）の処理について説明するためのフローチャート。
【図７】同実施形態に係る映像再生表示システムおよび映像再生装置を適用した制御方法（第１の方法）の処理について説明するためのフローチャート。
【図８】同実施形態に係る映像再生表示システム、映像再生装置および映像表示装置で用いられる制御コマンドを記憶したテーブル情報の一例を模式的に示す図。
【符号の説明】
【００３９】
１０…映像表示装置、１２…リモートコントローラ、１３…ＨＤＭＩケーブル、１４…映像再生装置、２０…リモコン受光部、２１、５２…制御部、２２…メモリ部、２３…アンテナ部、２４…チューナー部、２５…音声処理部、２６…映像処理部、２７、５０…ＨＤＭＩ  ＩＦ、２８…スピーカ、２９…表示部、５１…再生処理部、５３…ディスクドライブ部
【図１】
2010021880.tif 000003
【図２】
2010021880.tif 000004
【図３】
2010021880.tif 000005
【図４】
2010021880.tif 000006
【図５】
2010021880.tif 000007
【図６】
2010021880.tif 000008
【図７】
2010021880.tif 000009
【図８】
2010021880.tif 000010